【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
所定の遊技が行われる遊技領域が形成される遊技盤と、
前記遊技盤が装着される本体枠と、
前記本体枠に開閉可能に設けられる扉枠と、
前記遊技領域で遊技を行うための遊技媒体を発射する球発射装置と、
前記扉枠に設けられ、前記球発射装置によって遊技領域内に打込むための遊技媒体を貯留する発射球貯留部と、
所定の供給口から遊技媒体が流入し、所定形状の底壁部と所定高さの立壁部により形成される貯留領域を有する予備貯留部と、
正面視において前記遊技領域の下方で前方へ膨出する膨出部と、
を備え、
前記貯留領域は、遊技機の前方に臨む第１貯留領域と遊技機の前方に臨まない第２貯留領域とを含み、
前記扉枠の開閉状態にかかわらず前記予備貯留部に接続する形で設けられて遊技球の通過を許容しないカバー部を備え、
前記カバー部は、前記第２貯留領域の天井部を有し、
前記カバー部は前記予備貯留部とは別部材で構成されて、前記予備貯留部と前記カバー部とが分解可能に構成されるものであり、
前記膨出部は、前記カバー部における貯留領域側と反対側の面に対して遊技中に遊技者の手が届かないように機能する
ことを特徴とする遊技機。
【請求項２】
所定の遊技が行われる遊技領域が形成される遊技盤と、
前記遊技盤が装着される本体枠と、
前記本体枠に開閉可能に設けられる扉枠と、
前記遊技領域で遊技を行うための遊技媒体を発射する球発射装置と、
前記扉枠に設けられ、前記球発射装置によって遊技領域内に打込むための遊技媒体を貯留する発射球貯留部と、
前後方向に開口する所定の供給口から遊技媒体が流入し、所定形状の底壁部により形成される貯留領域を有する予備貯留部と、
正面視において前記遊技領域の下方で前方へ膨出する膨出部と、
を備え、
前記貯留領域は、遊技機の前方に臨む第１貯留領域と遊技機の前方に臨まない第２貯留領域とを含み、
前記扉枠の開閉状態にかかわらず前記第２貯留領域の天井部を形成する形で設けられて遊技球の通過を許容しないカバー部を備え、
前記カバー部は、カバー立壁部を有し、
前記カバー立壁部は、前記第２貯留領域を形成する立壁部として機能し、
前記膨出部は、前記カバー部における貯留領域側と反対側の面に対して遊技中に遊技者の手が届かないように機能する
ことを特徴とする遊技機。
【請求項３】
所定の遊技が行われる遊技領域が形成される遊技盤と、
前記遊技盤が装着される本体枠と、
前記本体枠に開閉可能に設けられる扉枠と、
前記遊技領域で遊技を行うための遊技媒体を発射する球発射装置と、
前記扉枠に設けられ、前記球発射装置によって遊技領域内に打込むための遊技媒体を貯留する発射球貯留部と、
前後方向に開口する所定の供給口から遊技媒体が流入し、所定形状の底壁部により形成される貯留領域を有する予備貯留部と、
正面視において前記遊技領域の下方で前方へ膨出する膨出部と、
を備え、
前記貯留領域は、遊技機の前方に臨む第１貯留領域と遊技機の前方に臨まない第２貯留領域とを含み、
前記扉枠の開閉状態にかかわらず前記第２貯留領域の天井部を形成する形で設けられて遊技球の通過を許容しないカバー部を備え、
前記カバー部が取り外された状態でも貯留領域から遊技媒体が流出しないように前記第２貯留領域の縁部に沿った形状で所定高さの立壁部が設けられており、
前記膨出部は、前記カバー部における貯留領域側と反対側の面に対して遊技中に遊技者の手が届かないように機能する
ことを特徴とする遊技機。
【手続補正２】
【補正対象書類名】明細書
【補正対象項目名】０００３
【補正方法】変更
【補正の内容】
【０００３】
この種の遊技機は、正面視における遊技領域の下方に、遊技領域内に打込むための遊技媒体が貯留される発射球貯留部と、発射球貯留部の下側に配置され遊技媒体が貯留される予備貯留部とを備えている（例えば、特許文献１）。
【手続補正３】
【補正対象書類名】明細書
【補正対象項目名】０００４
【補正方法】変更
【補正の内容】
【０００４】
そして、このような遊技媒体を貯留する予備貯留部を備える遊技機においては、予備貯留部としての機能を実現するうえでより好適なものが求められている。
【手続補正４】
【補正対象書類名】明細書
【補正対象項目名】０００６
【補正方法】変更
【補正の内容】
【０００６】
本発明は、遊技機においてより好適な予備貯留部の構成を提案するものである。
【手続補正５】
【補正対象書類名】明細書
【補正対象項目名】０００７
【補正方法】変更
【補正の内容】
【０００７】
本発明は、
所定の遊技が行われる遊技領域が形成される遊技盤と、
前記遊技盤が装着される本体枠と、
前記本体枠に開閉可能に設けられる扉枠と、
前記遊技領域で遊技を行うための遊技媒体を発射する球発射装置と、
前記扉枠に設けられ、前記球発射装置によって遊技領域内に打込むための遊技媒体を貯留する発射球貯留部と、
所定の供給口から遊技媒体が流入し、所定形状の底壁部と所定高さの立壁部により形成される貯留領域を有する予備貯留部と、
正面視において前記遊技領域の下方で前方へ膨出する膨出部と、
を備え、
前記貯留領域は、遊技機の前方に臨む第１貯留領域と遊技機の前方に臨まない第２貯留領域とを含み、
前記扉枠の開閉状態にかかわらず前記予備貯留部に接続する形で設けられて遊技球の通過を許容しないカバー部を備え、
前記カバー部は、前記第２貯留領域の天井部を有し、
前記カバー部は前記予備貯留部とは別部材で構成されて、前記予備貯留部と前記カバー部とが分解可能に構成されるものであり、
前記膨出部は、前記カバー部における貯留領域側と反対側の面に対して遊技中に遊技者の手が届かないように機能する
ことを特徴とする。
また
所定の遊技が行われる遊技領域が形成される遊技盤と、
前記遊技盤が装着される本体枠と、
前記本体枠に開閉可能に設けられる扉枠と、
前記遊技領域で遊技を行うための遊技媒体を発射する球発射装置と、
前記扉枠に設けられ、前記球発射装置によって遊技領域内に打込むための遊技媒体を貯留する発射球貯留部と、
前後方向に開口する所定の供給口から遊技媒体が流入し、所定形状の底壁部により形成される貯留領域を有する予備貯留部と、
正面視において前記遊技領域の下方で前方へ膨出する膨出部と、
を備え、
前記貯留領域は、遊技機の前方に臨む第１貯留領域と遊技機の前方に臨まない第２貯留領域とを含み、
前記扉枠の開閉状態にかかわらず前記第２貯留領域の天井部を形成する形で設けられて遊技球の通過を許容しないカバー部を備え、
前記カバー部は、カバー立壁部を有し、
前記カバー立壁部は、前記第２貯留領域を形成する立壁部として機能し、
前記膨出部は、前記カバー部における貯留領域側と反対側の面に対して遊技中に遊技者の手が届かないように機能する
ことを特徴とする。
また、
所定の遊技が行われる遊技領域が形成される遊技盤と、
前記遊技盤が装着される本体枠と、
前記本体枠に開閉可能に設けられる扉枠と、
前記遊技領域で遊技を行うための遊技媒体を発射する球発射装置と、
前記扉枠に設けられ、前記球発射装置によって遊技領域内に打込むための遊技媒体を貯留する発射球貯留部と、
前後方向に開口する所定の供給口から遊技媒体が流入し、所定形状の底壁部により形成される貯留領域を有する予備貯留部と、
正面視において前記遊技領域の下方で前方へ膨出する膨出部と、
を備え、
前記貯留領域は、遊技機の前方に臨む第１貯留領域と遊技機の前方に臨まない第２貯留領域とを含み、
前記扉枠の開閉状態にかかわらず前記第２貯留領域の天井部を形成する形で設けられて遊技球の通過を許容しないカバー部を備え、
前記カバー部が取り外された状態でも貯留領域から遊技媒体が流出しないように前記第２貯留領域の縁部に沿った形状で所定高さの立壁部が設けられており、
前記膨出部は、前記カバー部における貯留領域側と反対側の面に対して遊技中に遊技者の手が届かないように機能する
ことを特徴とする。
また、本発明とは別に開示する別発明の手段を以下に示す。
手段１：遊技機において、
「遊技が行われる遊技領域と、
正面視において該遊技領域内の中央に配置されており、演出画像を表示可能なメイン演出表示手段と、
該メイン演出表示手段の前側で正面視において前記遊技領域内に配置されており、外周が前記メイン演出表示手段を中心として該メイン演出表示手段よりも大径で前記遊技領域よりも小径の円形状に形成されていると共に、前方から前記メイン演出表示手段を視認可能に形成されている旋回テーブルと、
該旋回テーブルと前記メイン演出表示手段との間に配置されており、該メイン演出表示手段を前方から視認可能に形成されていると共に、前記旋回テーブルを円形状の外周の中心を回転中心として前後に延びた軸周りに回転可能に支持しているユニットベースと、
該ユニットベースに取付けられており、前記旋回テーブルを、前記遊技領域内で遊技が行われることで変化する遊技状態に応じて回転させる旋回駆動手段と、
前記旋回テーブルの前記回転中心を間にして互いに対向していると共に、該回転中心に接近して前記メイン演出表示手段の前方に位置する接近位置と前記回転中心から離れて前記メイン演出表示手段の外側に位置する離反位置との間で夫々が独立して移動可能に、前記旋回テーブルの前面に取付けられている一対のシャッターと、
一対の該シャッターを、前記遊技状態に応じて、前記接近位置と前記離反位置との間で夫々を移動させ、前記旋回テーブルに取付けられている開閉駆動手段と、
立体的に形成されている装飾体本体、及び該装飾体本体の背向している部位から同軸上で夫々外方へ突出している軸部を備えており、互いの該軸部同士が隣接するように非直線状に列設された状態で、夫々の前記軸部が回転可能に一対の前記シャッターの夫々の前面に取付けられている複数の装飾体と、
一対の前記シャッターの夫々において、列設されている複数の前記装飾体の隣接している前記軸部同士を回転伝達可能に連結している自在軸継手と、
一対の前記シャッターの夫々に取付けられており、前記遊技状態に応じて、一対の該シャッターの夫々における少なくとも一つの前記装飾体の前記軸部を回転させる回転駆動手段と、
一対の前記シャッターが移動する前記接近位置と前記離反位置とを結んだ移動方向に対して直角方向で、前記旋回テーブルの前記回転中心に接近して前記メイン演出表示手段の前方に位置する突出位置と前記回転中心から離れて前記メイン演出表示手段の外側に位置する後退位置との間で移動可能に、前記旋回テーブルの前面に取付けられており、前記メイン演出表示手段よりも表示画面が小さく演出画像を表示可能とされているサブ演出表示手段と、
該サブ演出表示手段を、前記遊技状態に応じて前記突出位置と前記後退位置との間で移動させ、前記旋回テーブルに取付けられている出没駆動手段と
を具備している」ものであることを特徴とする。
【手続補正６】
【補正対象書類名】明細書
【補正対象項目名】０２９０
【補正方法】変更
【補正の内容】
【０２９０】
本発明によれば、より好適な予備貯留部を提供することができる。